(57)【要約】【課題】受信される信号の強度に応じた接続対象のＩＰネットワークの自動切替により、快適な音声通話を行うことが可能とする。【解決手段】音声に係る信号の送受信を行う通信部と、通信部が内部ネットワークから受信する信号の強度に基づいて、内部ネットワークと外部ネットワークとの接続に関する制御を行う接続制御部と、を備え、接続制御部は、内部ネットワークへ接続中に、内部ネットワークから受信した信号の強度が所定以下となった場合、所定時間の待機処理を行い、外部ネットワークへ接続するように制御する、通信装置が提供される。【選択図】図４
2020036274.tif 000002
【特許請求の範囲】
【請求項１】
音声に係る信号の送受信を行う通信部と、
前記通信部が内部ネットワークから受信する信号の強度に基づいて、前記内部ネットワークと外部ネットワークとの接続に関する制御を行う接続制御部と、
を備え、
前記接続制御部は、前記内部ネットワークへ接続中に、前記内部ネットワークから受信した前記信号の強度が所定以下となった場合、所定時間の待機処理を行い、前記外部ネットワークへ接続するように制御する、
通信装置。
【請求項２】
前記接続制御部は、前記通信部の前記内部ネットワークへの接続が切断されてから、所定時間の待機処理を行い、前記外部ネットワークへ接続するように制御する、
請求項１に記載の通信装置。
【請求項３】
前記接続制御部は、前記通信部の前記内部ネットワークへの接続が切断されてから、所定時間の待機処理が完了する前に、前記内部ネットワークへの接続が復帰した場合、前記内部ネットワークへの接続を継続するように制御する、
請求項２に記載の通信装置。
【請求項４】
前記接続制御部は、前記外部ネットワークから前記内部ネットワークへ接続を切り替えた後、前記内部ネットワークから受信した前記信号の強度が所定以下である場合、所定時間の待機処理を行い、前記内部ネットワークとの接続を切断し前記外部ネットワークへ接続するように制御する、
請求項１〜３のいずれか一項に記載の通信装置。
【請求項５】
前記接続制御部は、前記外部ネットワークから前記内部ネットワークへ接続を切り替えた後、前記内部ネットワークから前記信号が受信されない場合、所定時間の待機処理を行い、前記内部ネットワークとの接続を切断し前記外部ネットワークへ接続するように制御する、
請求項４に記載の通信装置。
【請求項６】
前記接続制御部は、前記内部ネットワークから受信する前記信号の強度に基づいて、ユーザに対し通知するように制御する、
請求項１〜５のいずれか一項に記載の通信装置。
【請求項７】
前記接続制御部は、前記内部ネットワークから受信する前記信号の強度に基づいて、警告音を出力するように制御する、
請求項６に記載の通信装置。
【請求項８】
前記接続制御部は、前記通信部の前記内部ネットワークへの接続が切断された場合、前記警告音をユーザに対し出力するように制御する、
請求項７に記載の通信装置。
【請求項９】
前記接続制御部は、前記内部ネットワークから受信する前記信号の強度が所定以下である場合、前記警告音をユーザに対し出力するように制御する、
請求項７または８に記載の通信装置。
【請求項１０】
前記音声は、音声通話のための音声であり、
前記接続制御部は、前記内部ネットワークから受信する前記信号の強度が所定以下である場合、前記警告音を前記音声通話の通話相手に対し出力するように制御する、
請求項７〜９のいずれか一項に記載の通信装置。
【請求項１１】
前記接続制御部は、前記音声に前記警告音を追加する、
請求項７〜１０のいずれか一項に記載の通信装置。
【請求項１２】
前記接続制御部は、前記警告音を出力させる指示信号を、前記通信部が送信する前記信号に付与する、
請求項７〜１０のいずれか一項に記載の通信装置。
【請求項１３】
請求項１〜１２のいずれか一項に記載の通信装置との間で、前記音声に係る前記信号の中継を行う、
通信装置。
【請求項１４】
プロセッサが、
音声に係る信号の送受信を行うことと、
内部ネットワークから受信する信号の強度に基づいて、前記内部ネットワークと外部ネットワークとの接続に関する制御を行うことと、
前記内部ネットワークへ接続中に、前記内部ネットワークから受信した前記信号の強度が所定以下となった場合、所定時間の待機処理を行い、前記外部ネットワークへ接続するように制御することと、
を含む、
通信方法。
【請求項１５】
コンピュータを、
音声に係る信号の送受信を行う通信部と、
前記通信部が内部ネットワークから受信する信号の強度に基づいて、前記内部ネットワークと外部ネットワークとの接続に関する制御を行う接続制御部と、
を備え、
前記接続制御部は、前記内部ネットワークへ接続中に、前記内部ネットワークから受信した前記信号の強度が所定以下となった場合、所定時間の待機処理を行い、前記外部ネットワークへ接続するように制御する、
通信装置、
として機能させるためのプログラム。
【請求項１６】
音声に係る信号の送受信を行う通信装置と、コンピュータに前記通信装置とネットワークを介してやりとりさせるためのプログラムと、を有し、
前記プログラムは、
前記コンピュータを、
前記音声に係る信号の送受信を行う通信部と、
前記通信部が内部ネットワークから受信する信号の強度に基づいて、前記内部ネットワークと外部ネットワークとの接続に関する制御を行う接続制御部と、
を備え、
前記接続制御部は、前記内部ネットワークへ接続中に、前記内部ネットワークから受信した前記信号の強度が所定以下となった場合、所定時間の待機処理を行い、前記外部ネットワークへ接続するように制御する、
通信装置、
として機能させる、
ネットワークシステム。
【発明の詳細な説明】
【技術分野】
【０００１】
本発明は、通信装置、通信方法、プログラム、およびネットワークシステムに関する。
【背景技術】
【０００２】
近年、スマートフォンが所定のネットワークへ接続する際に、ユーザに対する負担を軽減するような技術が開発されている。
【０００３】
例えば、特許文献１では、企業ネットワーク側へパスワード発行サーバを設置し、ユーザは、端末上で、当該サーバから送信されたパスワードを入力する手順により、パスワードを覚える負担がユーザに対して無くなる技術が開示されている。
【先行技術文献】
【特許文献】
【０００４】
【特許文献１】特開２００７−１０２７７７号公報
【発明の概要】
【発明が解決しようとする課題】
【０００５】
なお、スマートフォンは複数のネットワークへ接続する場合があり、ネットワーク間での接続の切替え時において、ユーザに対する負担を軽減するような技術が求められる。
【０００６】
ところで、ソフトフォンにおいても、端末が接続対象のＩＰネットワークを変更する場合に、ユーザが快適に音声通話を行うことができるような技術が求められる。
【０００７】
そこで、本発明は、上記問題に鑑みてなされたものであり、本発明の目的とするところは、受信される信号の強度に応じた接続対象のＩＰネットワークの自動切替により、快適な音声通話を行うことが可能な、新規かつ改良された通信装置、通信方法、プログラム、およびネットワークシステムを提供することにある。
【課題を解決するための手段】
【０００８】
上記課題を解決するために、本発明のある観点によれば、音声に係る信号の送受信を行う通信部と、前記通信部が内部ネットワークから受信する信号の強度に基づいて、前記内部ネットワークと外部ネットワークとの接続に関する制御を行う接続制御部と、を備え、前記接続制御部は、前記内部ネットワークへ接続中に、前記内部ネットワークから受信した前記信号の強度が所定以下となった場合、所定時間の待機処理を行い、前記外部ネットワークへ接続するように制御する、通信装置が提供される。
【０００９】
また、前記接続制御部は、前記内部ネットワークへ接続中に、前記内部ネットワークから受信した前記信号の強度が所定以下となった場合、所定時間の待機処理を行い、前記外部ネットワークへ接続するように制御してもよい。
【００１０】
また、前記接続制御部は、前記通信部の前記内部ネットワークへの接続が切断されてから、所定時間の待機処理が完了する前に、前記内部ネットワークへの接続が復帰した場合、前記内部ネットワークへの接続を継続するように制御してもよい。
【００１１】
また、前記接続制御部は、前記外部ネットワークから前記内部ネットワークへ接続を切り替えた後、前記内部ネットワークから受信した前記信号の強度が所定以下である場合、所定時間の待機処理を行い、前記内部ネットワークとの接続を切断し前記外部ネットワークへ接続するように制御してもよい。
【００１２】
また、前記接続制御部は、前記外部ネットワークから前記内部ネットワークへ接続を切り替えた後、前記内部ネットワークから前記信号が受信されない場合、所定時間の待機処理を行い、前記内部ネットワークとの接続を切断し前記外部ネットワークへ接続するように制御してもよい。
【００１３】
また、前記接続制御部は、前記内部ネットワークから受信する前記信号の強度に基づいて、ユーザに対し通知するように制御してもよい。
【００１４】
また、前記接続制御部は、前記内部ネットワークから受信する前記信号の強度に基づいて、警告音を出力するように制御してもよい。
【００１５】
また、前記接続制御部は、前記通信部の前記内部ネットワークへの接続が切断された場合、前記警告音をユーザに対し出力するように制御してもよい。
【００１６】
また、前記接続制御部は、前記内部ネットワークから受信する前記信号の強度が所定以下である場合、前記警告音をユーザに対し出力するように制御してもよい。
【００１７】
また、前記音声は、音声通話のための音声であり、前記接続制御部は、前記内部ネットワークから受信する前記信号の強度が所定以下である場合、前記警告音を前記音声通話の通話相手に対し出力するように制御してもよい。
【００１８】
また、前記接続制御部は、前記音声に前記警告音を追加してもよい。
【００１９】
また、前記接続制御部は、前記警告音を出力させる指示信号を、前記通信部が送信する前記信号に付与してもよい。
【００２０】
また、上記課題を解決するために、前記通信装置との間で、前記音声に係るを前記信号の中継を行う、通信装置が提供される。
【００２１】
また、上記課題を解決するために、本発明の別の観点によれば、プロセッサが、音声に係る信号の送受信を行うことと、内部ネットワークから受信する信号の強度に基づいて、前記内部ネットワークと外部ネットワークとの接続に関する制御を行うことと、前記内部ネットワークへ接続中に、前記内部ネットワークから受信した前記信号の強度が所定以下となった場合、所定時間の待機処理を行い、前記外部ネットワークへ接続するように制御することと、を含む、通信方法が提供される。
【００２２】
また、上記課題を解決するために、本発明の別の観点によれば、コンピュータを、音声に係る信号の送受信を行う通信部と、前記通信部が内部ネットワークから受信する信号の強度に基づいて、前記内部ネットワークと外部ネットワークとの接続に関する制御を行う接続制御部と、を備え、前記接続制御部は、前記内部ネットワークへ接続中に、前記内部ネットワークから受信した前記信号の強度が所定以下となった場合、所定時間の待機処理を行い、前記外部ネットワークへ接続するように制御する、通信装置、として機能させるためのプログラムが提供される。
【００２３】
また、上記課題を解決するために、本発明の別の観点によれば、音声に係る信号の送受信を行う通信装置と、コンピュータに前記通信装置とネットワークを介してやりとりさせるためのプログラムと、を有し、前記プログラムは、前記コンピュータを、前記音声に係る信号の送受信を行う通信部と、前記通信部が内部ネットワークから受信する信号の強度に基づいて、前記内部ネットワークと外部ネットワークとの接続に関する制御を行う接続制御部と、を備え、前記接続制御部は、前記内部ネットワークへ接続中に、前記内部ネットワークから受信した前記信号の強度が所定以下となった場合、所定時間の待機処理を行い、前記外部ネットワークへ接続するように制御する、通信装置、として機能させる、ネットワークシステムが提供される。
【発明の効果】
【００２４】
以上説明したように本発明によれば、受信される信号の強度に応じた接続対象のＩＰネットワークの自動切替により、快適な音声通話を行うことが可能な、新規かつ改良された通信装置、通信方法、プログラム、およびネットワークシステムが提供される。
【図面の簡単な説明】
【００２５】
【図１】本実施形態に係る音声通話システムの構成例を示すブロック図である。
【図２】Ｗｉ−Ｆｉ接続中のスマートフォン１０がＩＰ電話機２５０との音声通話を開始する処理の流れについて説明するための図である。
【図３】スマートフォン１０のＷｉ−Ｆｉ接続が切断され、ＬＴＥ接続へ切り替える処理の流れについて説明するための図である。
【図４】同実施形態に係るＷｉ−Ｆｉ接続が切断された後に所定時間待機する動作の流れの一例について説明するための図である。
【図５】接続対象のネットワークを切り替えるまでの時間を設定する画面の一例について説明するための図である。
【図６】信号強度が低い状態でＷｉ−Ｆｉ接続を行う場合の動作の流れの一例について説明するための図である。
【図７】同実施形態に係る信号強度が低い状態であることをユーザに対し警告音を用いて通知する動作の流れの一例について説明するための図である。
【図８】所定時間の間に無線ＡＰ２２０から送信される信号の強度が所定以下である場合の動作の一例について説明するための図である。
【図９】本発明の一実施形態に係る各構成のハードウェア構成例を示すブロック図である。
【発明を実施するための形態】
【００２６】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２７】
＜１．概要＞
まず、本発明の概要について説明する。近年、スマートフォンを用いて、インターネット網またはＩＰ−ＶＰＮ網などのＩＰネットワークを通じた音声通話を行う機会が増えている。上記を実現する技術の総称は、ＶｏＩＰ（Ｖｏｉｃｅ  ｏｖｅｒ  ＩＰ）と呼ばれる。
【００２８】
スマートフォンにより、ＩＰネットワークを通じた音声通話を行う際、オフィスの内線通話に用いられるソフトフォンと呼ばれるソフトウェアが用いられる。ユーザは、例えばソフトフォンを格納するスマートフォンを用いて音声通話を行う。その際、スマートフォンは、ＩＰネットワークに接続されている必要がある。ここで、スマートフォンが接続するＩＰネットワークの種類は、例えば当該スマートフォンが接続可能なネットワークにより決定される。
【００２９】
通常、ユーザがオフィス構内にいる場合、スマートフォンは社内ＬＡＮ（Ｌｏｃａｌ  Ａｒｅａ  Ｎｅｔｗｏｒｋ）にＷｉ−Ｆｉ（登録商標）接続を行う。一方、ユーザがオフィス構外の遠隔地にいる場合、スマートフォンはＬＴＥ（Ｌｏｎｇ  Ｔｅｒｍ  Ｅｖｏｌｕｉｔｏｎ）接続を行う。つまり、スマートフォンがオフィス構内などの無線アクセスポイント（以下、無線ＡＰと称する）の電波（信号）を受信することができる場所では、スマートフォンはＷｉ−Ｆｉ接続を行い、その他の場所では、ＬＴＥ接続を行う。
【００３０】
ここで、例えばスマートフォンは可搬端末であるため、ユーザが、Ｗｉ−Ｆｉ接続中にＷｉ−Ｆｉ接続を行う場所からＬＴＥ接続を行う場所へ移動する状況や、ＬＴＥ接続中にＬＴＥ接続を行う場所からＷｉ−Ｆｉ接続を行う場所へ移動する状況、などが発生し得る。その際、スマートフォンに格納されたソフトフォンは、例えば当該ソフトフォンによる音声通話を行っている際に、当該音声通話を維持したまま、自動的に接続対象のＩＰネットワークを切り替える（以下、通話パスを切り替える、とも称する）制御を行うことができる。
【００３１】
しかし、ソフトフォンが上記制御を行う際に、切り替えるタイミングによっては、以下の状況が発生し得る。
【００３２】
スマートフォンがＷｉ−Ｆｉ接続中に、ソフトフォンを用いた音声通話を行っている場合において、ユーザが一時的にＷｉ−Ｆｉ接続エリアの圏外への移動や、ハンドオーバーができないＷｉ−Ｆｉエリア間の移動を行うと、ソフトフォンはＬＴＥ接続へ通話パスを切り替える制御を行い、音声通話を維持する。しかし、ソフトフォンがＬＴＥ接続へ切り替えた後に、ユーザがＷｉ−Ｆｉ接続エリア内に移動すると、ソフトフォンは再びＷｉ−Ｆｉ接続へ通話パスを切り替える制御を行う。この際、接続対象のＩＰネットワークの切り替えが２度発生しており、それぞれ短時間の音声通話の途切れが発生し得る。
【００３３】
また、スマートフォンがＬＴＥ接続中に、ソフトフォンを用いた音声通話を行っている場合において、ユーザがＷｉ−Ｆｉ接続エリアへの移動をすると、ソフトフォンはＷｉ−Ｆｉ接続へ通話パスを切り替える制御を行う。ここで、スマートフォンがＷｉ−Ｆｉ接続へ切り替えた直後は、スマートフォンが受信する無線ＡＰからの電波強度が低いことがある。そのため、スマートフォンから出力される当該音声通話による音声の質が不安定となる状況が発生し得る。
【００３４】
本開示の一実施形態に係る技術思想は、上記の点に着目して発想されたものであり、音声に係る信号の送受信を行う通信部と、前記通信部が内部ネットワークから受信する信号の強度に基づいて、前記内部ネットワークと外部ネットワークとの接続に関する制御を行う接続制御部と、を備え、前記接続制御部は、前記内部ネットワークへ接続中に、前記内部ネットワークから受信した前記信号の強度が所定以下となった場合、所定時間の待機処理を行い、前記外部ネットワークへ接続するように制御することを特徴とする。
【００３５】
＜２．音声通話システムの構成例＞
次に、本開示の一実施形態に係る音声通話システムの構成例について説明する。図１は、本実施形態に係る音声通話システムの構成例を示すブロック図である。当該音声通話システムは、スマートフォン１０、ルータ２１０、無線ＡＰ２２０、ＶｏＩＰゲートウェイ２３０、ＩＰ−ＰＢＸ２４０、およびＩＰ電話機２５０を備えるネットワークシステムである。また、スマートフォン１０と構内システム２０内の他の機器は、互いに情報通信が行えるように、外部ネットワーク１を介する方法、または無線ＡＰ２２０を介する方法で接続される。なお、スマートフォン１０は、通信部１００およびソフトフォン１１０を備える。
【００３６】
（スマートフォン１０）
本実施形態に係るスマートフォン１０は、ソフトフォン１１０を用いてＩＰネットワークを介した音声通話を行うことが可能な通信装置である。上述したように、スマートフォン１０は、通信部１００およびソフトフォン１１０を備える。
【００３７】
（通信部１００）
本実施形態に係る通信部１００は、音声に係る信号の送受信を構内システム２０内の機器と行う機能を有する。通信部１００は、携帯通信部１０１およびＷｉ−Ｆｉ通信部１０２を備える。
【００３８】
（携帯通信部１０１）
本実施形態に係る携帯通信部１０１は、外部ネットワーク１へ接続する機能を有する。携帯通信部１０１により、スマートフォン１０は、ＬＴＥ接続などを行うことが可能となる。
【００３９】
（Ｗｉ−Ｆｉ通信部１０２）
本実施形態に係るＷｉ−Ｆｉ通信部１０２は、後述する無線ＡＰ２２０を介して内部ネットワーク２へ接続する機能を有する。Ｗｉ−Ｆｉ通信部１０２により、スマートフォン１０は、Ｗｉ−Ｆｉ接続を行うことが可能となる。
【００４０】
（ソフトフォン１１０）
本実施形態に係るソフトフォン１１０は、例えばスマートフォンにおいて動作するアプリケーションである。ソフトフォン１１０により、ＩＰネットワークを通じた音声通話を行うことが可能となる。
【００４１】
また、ソフトフォン１１０は、呼制御信号を送信する宛先の機器のＩＰアドレスを記憶する。ここで、呼制御信号とは、呼制御を行うために機器間でやり取りされる信号をいう。呼制御とは、機器間で音声通話を実際に開始する前に行う一連のやり取りをいう。ＩＰネットワークを介した音声通話における呼制御では、例えばＳＩＰ（Ｓｅｓｓｉｏｎ  Ｉｎｉｔｉａｔｉｏｎ  Ｐｒｏｔｏｃｏｌ）などが使用される。
【００４２】
また、ソフトフォン１１０は、接続制御部１１１、状態判定部１１３、および音声入出力部１１４を備える。
【００４３】
（接続制御部１１１）
本実施形態に係る接続制御部１１１は、通信部１００が内部ネットワーク２から受信した信号の強度に基づいて、内部ネットワーク２と外部ネットワークとの接続に関する制御を行う機能を有する。ここで、信号は、携帯通信部１０１またはＷｉ−Ｆｉ通信部１０２が受信した音声に係る信号をいう。なお、当該音声は、例えば音声通話のための音声であり得る。また、信号の強度は、後述する状態判定部１１３により判定される。
【００４４】
また、接続制御部１１１は、後述する音声入出力部１１４から提供された音声データをＲＴＰパケットへ変換する機能を有する。また、接続制御部１１１は、後述するＩＰ電話機２５０から送信されたＲＴＰパケットを音声データに変換してもよい。変換された当該音声データは、音声入出力部１１４により、音声として出力される。また、接続制御部１１１は、警告音を出力させる指示信号を、通信部１００が送信する信号に付与してもよい。
【００４５】
（状態判定部１１３）
本実施形態に係る状態判定部１１３は、通信部１００が受信した信号の強度を判定する機能を有する。なお、信号の強度を判定する指標として、例えばＲＳＳＩ（Ｒｅｃｅｉｖｅｄ  Ｓｉｇｎａｌ  Ｓｔｒｅｎｇｔｈ  Ｉｎｄｉｃａｔｉｏｎ）が用いられる。また、状態判定部１１３は、判定した信号の強度の情報を、接続制御部１１１へ提供する。
【００４６】
（音声入出力部１１４）
本実施形態に係る音声入出力部１１４は、ユーザから音声の入力を受け付ける機能を有する。音声入出力部１１４は、ユーザが発した音声などを収集するためのマイクロフォンを備えてもよい。
【００４７】
また、音声入出力部１１４は、通信部１００が受信した信号に含まれる音声信号から復号される音声をユーザに対し出力する。
【００４８】
（ルータ２１０）
本実施形態に係るルータ２１０は、内部ネットワーク２と外部ネットワーク１とのデータのやり取りを中継する機能を有する機器である。ルータ２１０は、固定のグローバルＩＰアドレスを用いて、外部ネットワーク１に接続されている。また、ルータ２１０は、所定のポート番号で受信した通信パケットを、後述するＶｏＩＰゲートウェイ２３０へ送信する。ここで、通信パケットの宛先ＩＰアドレスは、ＶｏＩＰゲートウェイ２３０のローカルＩＰアドレスとなる。
【００４９】
（無線ＡＰ２２０）
本実施形態に係る無線ＡＰ２２０は、スマートフォン１０が構内システム２０において構内ＬＡＮである内部ネットワーク２へ接続する機能を有する機器である。
【００５０】
（ＶｏＩＰゲートウェイ２３０）
本実施形態に係るＶｏＩＰゲートウェイ２３０は、ソフトフォン１１０から受信する呼制御信号またはソフトフォン１１０と後述するＩＰ電話機２５０との間で送受信されるＲＴＰパケットを、中継する機能を有する通信装置である。ＶｏＩＰゲートウェイ２３０は、ソフトフォン１１０が最初にＩＰ電話機２５０との音声通話の確立を行う際に、ソフトフォン１１０から受信した呼制御信号を、ＩＰ−ＰＢＸ２４０へ送信する。
【００５１】
（ＩＰ−ＰＢＸ２４０）
本実施形態に係るＩＰ−ＰＢＸ２４０は、ソフトフォン１１０とＩＰ電話機２５０との間で音声通話の接続の処理を行う。
【００５２】
（ＩＰ電話機２５０）
本実施形態に係るＩＰ電話機２５０は、ＶｏＩＰ技術を利用してＩＰネットワークを介して音声通話を行うことができる電話機である。本実施形態に係るＩＰ電話機２５０は、オフィス構内ＬＡＮである内部ネットワーク２へ接続されている。なお、図１において、1つのＩＰ電話機２５０が示されているが、２つ以上のＩＰ電話機２５０がオフィス構内２０内に存在していてもよい。また、ＩＰ電話機２５０は、スマートフォンであってもよい。
【００５３】
（外部ネットワーク１）
本実施形態に係る外部ネットワーク１は、外部ネットワーク１に接続されている装置から送信される情報の無線の伝送路である。例えば、外部ネットワーク１は、インターネット、電話回線網、衛星通信網などの公衆回線網などを含んでもよい。
【００５４】
（内部ネットワーク２）
本実施形態に係る内部ネットワーク２は、上述した構内システム２０のそれぞれの機器間を接続するＬＡＮである。なお、上述したように、図１において、1つのＩＰ電話機２５０が示されている。しかし、構内システム２０は、それぞれが内部ネットワーク２へ接続されている２つ以上のＩＰ電話機２５０を備えていてもよい。
【００５５】
＜３．動作例＞
次に、本発明の実施形態に係る音声通話システムの処理について、状況毎に説明する。
【００５６】
まず、前提となるスマートフォン１０がＷｉ−Ｆｉ接続を行う処理について説明する。図２は、Ｗｉ−Ｆｉ接続中のスマートフォン１０がＩＰ電話機２５０との音声通話を開始する処理の流れについて説明するための図である。
【００５７】
図２を参照すると、まず、スマートフォン１０の接続制御部１１１は、Ｗｉ−Ｆｉ通信部１０２に無線ＡＰ２２０へ、呼制御信号「発信」を送信させる（Ｓ１００１）。次に、無線ＡＰ２２０は、ステップＳ１００１で受信した呼制御信号「発信」を、ＶｏＩＰゲートウェイ２３０へ送信する（Ｓ１００２）。次に、ＶｏＩＰゲートウェイ２３０は、ステップＳ１００２で受信した呼制御信号「発信」のパラメータを読み取り、当該呼制御信号「発信」に対し、さらにＶｏＩＰゲートウェイ２３０のＩＰアドレスおよびＲＴＰパケット通信用のポート番号を設定した呼制御信号「発信」を、ＩＰ−ＰＢＸ２４０へ送信する（Ｓ１００３）。次に、ＩＰ−ＰＢＸ２４０は、ＶｏＩＰゲートウェイ２３０から受信した呼制御信号「発信」のパラメータを読み取り、当該パラメータから読み出された着信先の番号に対応するＩＰ電話機２５０へ、呼制御信号「着信」を送信する（Ｓ１００４）。
【００５８】
次に、ステップＳ１００４で呼制御信号「着信」を受信したＩＰ電話機２５０は、当該呼制御信号「着信」の送信元のＩＰアドレスおよびＲＴＰパケット通信用のポート番号を読み出す。また、ＩＰ電話機２５０は、音声出力などにより当該ＩＰ電話機２５０のユーザに対し当該ＩＰ電話機２５０に着信がある旨を通知し、また当該ユーザが応答すると、ＩＰ−ＰＢＸ２４０へ呼制御信号「応答」を送信する（Ｓ１００５）。次に、ＩＰ−ＰＢＸ２４０は、ＩＰ−ＰＢＸ２４０から受信した呼制御信号「応答」をＶｏＩＰゲートウェイ２３０へ送信する（Ｓ１００６）。次に、ＶｏＩＰゲートウェイ２３０は、ステップＳ１００２で受信した呼制御信号「発信」の送信元のソフトフォン１１０を宛先として、無線ＡＰ２２０へ呼制御信号「応答」を送信する（Ｓ１００７）。この際、ＶｏＩＰゲートウェイ２３０は、当該呼制御信号「応答」のパラメータとして、ＶｏＩＰゲートウェイ２３０のＩＰアドレスおよびＲＴＰパケット通信用のポート番号を設定する。次に、無線ＡＰ２２０は、ＶｏＩＰゲートウェイ２３０から受信した呼制御信号「応答」をソフトフォン１１０へ送信する（Ｓ１００８）。
【００５９】
次に、ＩＰ電話機２５０は、当該ＩＰ電話機２５０から入力された音声をＲＴＰパケットに変換し、ステップＳ１００４で受信した呼制御信号「着信」のパラメータから読み出したＩＰアドレスおよびＲＴＰパケット通信用のポート番号を用いて、ＲＴＰパケットをＶｏＩＰゲートウェイ２３０へ送信する（Ｓ１００９）。なお、ステップＳ１００９は、ステップＳ１００４で呼制御信号「着信」を受信した直後から実行されてもよい。次に、ＶｏＩＰゲートウェイ２３０は、ステップＳ１００３で設定したＩＰアドレスおよびＲＴＰパケット通信用のポート番号からＲＴＰパケットを受信した場合、当該ＲＴＰパケットを無線ＡＰ２２０へ送信する（Ｓ１０１０）。次に無線ＡＰ２２０は、ステップＳ１０１０で受信したＲＴＰパケットをソフトフォン１１０へ送信する（Ｓ１０１１）。
【００６０】
次に、ソフトフォン１１０のＷｉ−Ｆｉ通信部１０２は、ステップＳ１００８で呼制御信号「応答」を受信して通話中状態になった後、音声入出力部１１４から入力された音声を、接続制御部１１１がＲＴＰパケットに変換し、当該呼制御信号「応答」のパラメータに設定されたＩＰアドレスおよびＲＴＰパケット通信用のポート番号を宛先として無線ＡＰ２２０へ、当該ＲＴＰパケットを送信する（Ｓ１０１２）。次に、無線ＡＰ２２０は、ステップＳ１０１２で受信したＲＴＰパケットをＶｏＩＰゲートウェイ２３０へ送信する（Ｓ１０１３）。次に、ＶｏＩＰゲートウェイ２３０は、ステップＳ１００９で送信されたＲＴＰパケットのパラメータに設定されたＩＰアドレスおよびＲＴＰパケット通信用のポート番号宛に、ステップＳ１０１３で受信したＲＴＰパケットを送信する（Ｓ１０１４）。
【００６１】
以上が、Ｗｉ−Ｆｉ接続中のスマートフォン１０がＩＰ電話機２５０との音声通話を開始する処理の流れである。
【００６２】
次に、前提としてスマートフォン１０のＷｉ−Ｆｉ接続が切断され、ＬＴＥ接続へ切り替える処理の流れについて説明する。図３は、スマートフォン１０のＷｉ−Ｆｉ接続が切断され、ＬＴＥ接続へ切り替える処理の流れについて説明するための図である。
【００６３】
図３を参照すると、まず、スマートフォン１０のＷｉ−Ｆｉ接続が切断され、状態判定部１１３がＷｉ−Ｆｉ接続の切断を判定する（Ｓ１１０１）。次に、接続制御部１１１は、Ｗｉ−Ｆｉ通信部１０２にＲＴＰパケットの送信を停止させ、携帯通信部１０１に呼制御信号「通話パス切替」を、外部ネットワーク１へルータ２１０を宛先として送信する（Ｓ１１０２）。次に、当該呼制御信号「通話パス切替」が、ルータ２１０へと送信される（Ｓ１１０３）。次に、ルータ２１０は、ステップＳ１１０３で受信した呼制御信号「通話パス切替」をＶｏＩＰゲートウェイ２３０へ送信（転送）する（Ｓ１１０４）。この際、宛先のＩＰアドレスは、ＶｏＩＰゲートウェイ２３０のローカルＩＰアドレスである。
【００６４】
次に、ＶｏＩＰゲートウェイ２３０は、ステップＳ１１０４で受信した呼制御信号「通話パス切替」の送信元のＩＰアドレスを宛先として、ルータ２１０へ応答信号「ＡＣＫ」を送信する（Ｓ１１０５）。この際、ＶｏＩＰゲートウェイ２３０は、応答信号「ＡＣＫ」のパラメータに、ＶｏＩＰゲートウェイ２３０がＲＴＰパケットを中継するためのポート番号、およびルータ２１０のグローバルＩＰアドレスが設定されている。次に、ルータ２１０は、ステップＳ１１０５で受信した応答信号「ＡＣＫ」を、ソフトフォン１１０を宛先として外部ネットワーク１へ送信する（Ｓ１１０６）。次に、スマートフォン１０の携帯通信部１０１は、ステップＳ１１０６で送信された応答信号「ＡＣＫ」を外部ネットワーク１を介して受信する（Ｓ１１０７）。
【００６５】
次に、スマートフォン１０の携帯通信部１０１は、ステップＳ１１０７で受信した応答信号「ＡＣＫ」のパラメータにステップＳ１１０６で設定されたポート番号およびＩＰアドレスを宛先として外部ネットワーク１へＲＴＰパケットを送信する（Ｓ１１０８）。次にルータ２１０は、ステップＳ１１０８で送信されたＲＴＰパケットを、外部ネットワーク１を介して受信する（Ｓ１１０９）。次に、ルータ２１０は、ステップＳ１１０９で受信したＲＴＰパケットをＶｏＩＰゲートウェイ２３０へ送信する（Ｓ１１１０）。次に、ＶｏＩＰゲートウェイ２３０は、ステップＳ１１０５で設定したポート番号でＲＴＰパケットを受信した後、ステップＳ１１０４で受信した呼制御信号「通話パス切替」の送信元が音声通話中であった相手のＩＰ電話機２５０へＲＴＰパケットを送信する（Ｓ１１１１）。
【００６６】
一方、ＩＰ電話機２５０は、ＶｏＩＰゲートウェイ２３０へＲＴＰパケットを送信している（Ｓ１１１２）。なお、ステップＳ１１１２は、Ｓ１１０１でスマートフォン１０がＷｉ−Ｆｉ接続を切断される前から実行され得る。次に、ＶｏＩＰゲートウェイ２３０は、ステップＳ１１１２で受信したＲＴＰパケットを、ステップＳ１１０５で設定したポート番号およびルータ２１０のグローバルＩＰアドレスに対して、ＲＴＰパケットを送信する（Ｓ１１１３）。次に、ルータ２１０は、ステップＳ１１１３で受信したＲＴＰパケットを、ソフトフォン１１０を宛先として外部ネットワーク１へ送信する（Ｓ１１１４）。携帯通信部１０１は、ステップＳ１１１４で送信されたＲＴＰパケットを、外部ネットワーク１を介して受信する（Ｓ１１１５）。
【００６７】
以上説明したように、スマートフォン１０のＷｉ−Ｆｉ接続が切断されたとしても、ＬＴＥ接続へ切り替えることで、音声通話を維持することができる。なお、スマートフォン１０のＷｉ−Ｆｉ接続が切断された場合に、所定時間の間、待機した後にＬＴＥ接続へ切り替えてもよい。
【００６８】
しかし、＜１．概要＞において説明したように、ＬＴＥ接続へ切り替えたすぐ後に、ユーザがＷｉ−Ｆｉ接続が可能な場所へ直ぐに移動した場合、ソフトフォン１１０の接続先の切替え処理が２度実行されることになる。その間、音声通話自体は維持されるが、短時間の音声通話の途切れが切替え処理毎にそれぞれ発生する。
【００６９】
図４は、本実施形態に係るＷｉ−Ｆｉ接続が切断された後に所定時間待機する動作の流れの一例について説明するための図である。
【００７０】
図４を参照すると、まず、スマートフォン１０のＷｉ−Ｆｉ接続が切断され、状態判定部１１３がＷｉ−Ｆｉ接続の切断を判定する（Ｓ１２０１）。次に、接続制御部１１１は、状態判定部１１３がＷｉ−Ｆｉ接続の切断を判定したことに基づいて、Ｗｉ−Ｆｉ接続が切断されている状態で、所定時間の待機処理を開始し、出力する音声に警告音を付与し、音声入出力部１１４に当該音声を出力させる（Ｓ１２０２）。次に、状態判定部１１３が、当該所定時間の待機処理が完了する前に無線ＡＰ２２０からの信号の強度を判定（検知）し、すなわちＷｉ−Ｆｉ接続が復帰し、また接続制御部１１１は、音声入出力部１１４に警告音の出力を終了させる（Ｓ１２０３）。すなわち、Ｗｉ−Ｆｉ接続が継続する。
【００７１】
以下、ステップＳ１２０４以降、無線ＡＰ２２０を介して、ソフトフォン１１０とＩＰ電話機２５０との間で、ＲＴＰパケットのやり取りが行われる。なお、ステップＳ１２０４〜ステップＳ１２０６は、図２に示したステップＳ１０１２〜ステップＳ１０１４と実質的に同様であるため、重複説明を省略する。また、ステップＳ１２０７〜ステップＳ１２０９も、図１に示したステップＳ１００９〜ステップＳ１０１１と実質的に同様であるため重複説明を省略する。
【００７２】
なお、上記において、Ｗｉ−Ｆｉ接続が切断された後、当該所定時間が経過した場合、接続制御部１１１は、ＬＴＥ接続へ通話パスを切り替える制御を行う。
【００７３】
このように、Ｗｉ−Ｆｉ接続が切断された場合に、通話パスをＬＴＥ接続へ直ぐに切り替えずに、所定時間の待機処理を行うことで、余計な接続対象のネットワークの切替え処理の必要が無くなる。また、Ｗｉ−Ｆｉ接続の切断中に、ソフトフォン１１０のユーザに対して警告音を出力することができる。係る機能によれば、ユーザは音声の途切れが少ない、より快適な音声通話を行うことが可能となる。
【００７４】
なお、図４において、接続制御部１１１は、所定時間の間待機した後、ＬＴＥ接続へ切り替える。ここで、当該所定時間は、ユーザにより設定されてもよい。図５は、接続対象のネットワークを切り替えるまでの時間を設定する画面の一例について説明するための図である。図５には、スマートフォン１０が示されている。
【００７５】
図５において、スマートフォン１０に、構内ネットワークへの接続が切断された際に、構内ネットワークへの接続から外部ネットワークへ切り替える処理を開始するまでの時間を設定するように促すメッセージＭが示されている。また、ユーザの入力を受け付けるフォームＦが示されている。
【００７６】
図５の一例において、スマートフォン１０に、待機する所定時間として０秒から９００秒まで設定可能であるとユーザに対し通知しているメッセージＭおよび、６０秒に設定されているフォームＦが示されている。
【００７７】
このように、接続制御部１１１が、状態判定部１１３がＷｉ−Ｆｉ接続の切断を判定してから、ＬＴＥ接続へ切り替えるまでの待機時間を手動で設定することが可能である。係る機能によれば、スマートフォン１０のソフトフォン１１０を用いた音声通話を行う種々の状況に応じて、より快適な音声通話を行うことができる。
【００７８】
また、＜１．概要＞において説明したように、スマートフォン１０がＬＴＥ接続からＷｉ−Ｆｉ接続へ通話パスを切り替えた直後は、スマートフォンが受信する無線ＡＰからの信号強度が弱いことがある。そのため、スマートフォンから出力される当該音声通話による音声の質が不安定になる状況が発生し得る。
【００７９】
図６は、信号強度が低い状態でＷｉ−Ｆｉ接続を行う場合の動作の流れの一例について説明するための図である。
【００８０】
図６を参照すると、スマートフォン１０がＬＴＥ接続中である際に、スマートフォン１０の状態判定部１１３は、無線ＡＰ２２０から送信された信号（電波）の強度が低いことを判定（検知）する（Ｓ１３０１）。ここで、信号の強度が低いとは、信号の強度が所定以下であると定義され得る。なお、当該所定以下は、ゼロが含まれる。次に、接続制御部１１１は、ステップＳ１３０１で状態判定部１１３が判定したことに応じて、携帯通信部１０１にＲＴＰパケットの送信を停止させ、Ｗｉ−Ｆｉ通信部１０２に呼制御信号「通話パス切替」を、ＶｏＩＰゲートウェイ２３０を宛先として、無線ＡＰ２２０へ送信する（Ｓ１３０２）。次に、無線ＡＰ２２０は、ステップＳ１３０２で受信した呼制御信号「通話パス切替」をＶｏＩＰゲートウェイ２３０へ送信する（Ｓ１３０３）。
【００８１】
次に、ＶｏＩＰゲートウェイ２３０は、ステップＳ１３０３で受信した呼制御信号「通話パス切替」の送信元情報に基づいて、応答信号「ＡＣＫ」を無線ＡＰ２２０へ送信する（Ｓ１３０４）。次に、無線ＡＰ２２０は、ステップＳ１３０４で受信した応答信号「ＡＣＫ」をスマートフォン１０へ送信する（Ｓ１３０５）。
【００８２】
その後、無線ＡＰ２２０を介して、ソフトフォン１１０とＩＰ電話機２５０との間で、ＲＴＰパケットのやり取りが行われる。なお、ステップＳ１３０６〜ステップＳ１３０８は、図１で示したステップＳ１０１２〜ステップＳ１０１４と実質的に同様であるため、重複説明を省略する。また、ステップＳ１３０９〜ステップＳ１３１１も、図１で示したステップＳ１００９〜ステップＳ１０１１と実質的に同様であるため、重複説明を省略する。
【００８３】
最後に、スマートフォン１０の状態判定部１１３は、Ｗｉ−Ｆｉ通信部１０２が受信した信号の強度がステップＳ１３０１の信号の強度より強い（良好である）と判定する（Ｓ１３１２）。
【００８４】
ここで、ステップＳ１３０１〜ステップＳ１３１２までの間、スマートフォン１０は、無線ＡＰ２２０からの信号の強度が低い状態で、ＩＰ電話機２５０と音声通話に係る信号の送受信を行っている。
【００８５】
本実施形態に係る音声通話システムでは、無線ＡＰ２２０からの信号の強度が低い場合、ユーザに対し通知をしてもよい。
【００８６】
図７は、本実施形態に係る信号強度が低い状態であることをユーザに対し警告音を用いて通知する動作の流れの一例について説明するための図である。
【００８７】
図７を参照すると、まず、ステップＳ１３０１と同様に、スマートフォン１０がＬＴＥ接続中である際に、スマートフォン１０の状態判定部１１３は、無線ＡＰ２２０から送信された信号（電波）の強度が低いことを検知する（Ｓ１４０１）。その後、ステップＳ１４０２〜ステップＳ１４０６までは、図６で示したステップＳ１３０２〜ステップＳ１３０５と実質的に同様であるため、重複説明を省略する。
【００８８】
次に、スマートフォン１０の接続制御部１１１は、音声入出力部１１４にユーザに対する警告音の出力を開始させる（Ｓ１４０６）。具体的には、接続制御部１１１は、例えば音声入出力部１１４で出力させるための音声に警告音を付与する制御を行ってもよい。もちろん、ユーザに対し警告音を出力する方法は、係る例に限られない。
【００８９】
次に、ステップＳ１４０７〜ステップＳ１４０９までは、ステップＳ１３０６〜ステップＳ１３０８で送信されるＲＴＰパケットとして送信される音声入出力部１１４から入力された音声データの他に、それぞれ警告音を送信する。なお、ステップＳ１４１０〜ステップＳ１４１２までは、図６で示したステップＳ１３０９〜ステップＳ１３１１と実質的に同様であるため重複説明を省略する。
【００９０】
次に、スマートフォン１０の状態判定部１１３は、Ｗｉ−Ｆｉ通信部１０２が受信した信号の強度がステップＳ１４０１で受信した信号よりも強い（良好である）と判定する（Ｓ１４１３）。次に、接続制御部１１１は、ステップＳ１４１３で当該信号の強度が良好と判定されたことに応じて、音声入出力部１１４にステップＳ１４０６で開始したユーザに対する警告音の出力を終了させる（Ｓ１４１４）。最後に、なお、ステップＳ１４１５〜ステップＳ１４１７は、図６で示したステップＳ１３０６〜ステップＳ１３０８と実質的に同様であるため、重複説明を省略する。
【００９１】
このように、ソフトフォン１１０は、無線ＡＰ２２０から送信される信号の強度が低い場合に、その旨を音声通話中のユーザに対し通知することができる。係る機能によれば、ユーザにより音声通話の状況を把握することが容易となる。
【００９２】
上記では、無線ＡＰ２２０から送信される信号の強度が十分と判定されるまで回復する場合の一例ついて説明したが、当該信号の強度が所定以下のまま回復しない場合も考えられる。その際、ソフトフォン１１０は、Ｗｉ−Ｆｉ接続を切断し、ＬＴＥ接続へ通話パスを切り替えてもよい。
【００９３】
図８は、所定時間の間に無線ＡＰ２２０から送信される信号の強度が所定以下である場合の動作の一例について説明するための図である。
【００９４】
図８を参照すると、まず、スマートフォン１０がＷｉ−Ｆｉ接続中において、次に、接続制御部１１１は、Ｗｉ−Ｆｉ通信部１０２が無線ＡＰ２２０から受信する信号（電波）の強度が所定以下であることに基づいて、所定時間の間の待機を行う（Ｓ１５０１）。この際、Ｗｉ−Ｆｉ通信部１０２は、無線ＡＰ２２０を介してＩＰ電話機２５０とＲＴＰパケットの送受信を行っていてもよい。また、この際、スマートフォン１０の接続制御部１１１は、ユーザに対する警告音の出力している。
【００９５】
次に、状態判定部１１３は、上記所定時間の経過後、Ｗｉ−Ｆｉ通信部１０２受信する無線ＡＰ２２０からの信号の強度が所定以下であることに基づいて、Ｗｉ−Ｆｉ通信部１０２が無線ＡＰ２２０から受信する信号の状態が不良であると判定する（Ｓ１５０２）。ここで、信号の状態が不良であるとは、所定時間の間、信号の強度が所定以下であること、などをいう。次に、接続制御部１１１は、ステップＳ１５０２で状態判定部１１３が当該信号の状態が不良であると判定されたことに基づいて、Ｗｉ−Ｆｉ通信部１０２にＷｉ−Ｆｉ接続を切断させる（Ｓ１５０３）。
【００９６】
次に、接続制御部１１１は、ステップＳ１５０２で状態判定部１１３が当該信号の状態が不良であると判定したことに基づいて、ステップＳ１４０６で開始したユーザに対する警告音の出力を終了する（Ｓ１５１４）。その後、ソフトフォン１１０は、Ｗｉ−Ｆｉ接続を切断し、ＬＴＥ接続へ通話パスを切り替える制御を行う。具体的には、ステップＳ１５０５〜ステップＳ１５１８が、図３で示したステップＳ１１０２〜ステップＳ１１１５と実質的に同様であるため、重複説明を省略する。
【００９７】
このように、ソフトフォン１１０は、無線ＡＰ２２０から送信される信号の強度が所定以下のまま回復しない場合に、Ｗｉ−Ｆｉ接続を切断し、ＬＴＥ接続へ通話パスを切り替えることができる。係る機能によれば、ユーザは、より快適な音声通話を行うことが可能となる。
【００９８】
＜４．ハードウェア構成例＞
次に、本発明の一実施形態に係るスマートフォン１０、ＶｏＩＰゲートウェイ２３０に共通するハードウェア構成例について説明する。図９は、本発明の一実施形態に係る各構成のハードウェア構成例を示すブロック図である。図９を参照すると、スマートフォン１０、ＶｏＩＰゲートウェイ２３０は、例えば、ＣＰＵ８７１と、ＲＯＭ８７２と、ＲＡＭ８７３と、ホストバス８７４と、ブリッジ８７５と、外部バス８７６と、インターフェース８７７と、入力部８７８と、出力部８７９と、記憶部８８０と、ドライブ８８１と、接続ポート８８２と、通信部８８３と、を有する。なお、ここで示すハードウェア構成は一例であり、構成要素の一部が省略されてもよい。また、ここで示される構成要素以外の構成要素をさらに含んでもよい。
【００９９】
（ＣＰＵ８７１）
ＣＰＵ８７１は、例えば、演算処理装置又は制御装置として機能し、ＲＯＭ８７２、ＲＡＭ８７３、記憶部８８０、又はリムーバブル記録媒体９０１に記録された各種プログラムに基づいて各構成要素の動作全般又はその一部を制御する。
【０１００】
（ＲＯＭ８７２、ＲＡＭ８７３）
ＲＯＭ８７２は、ＣＰＵ８７１に読み込まれるプログラムや演算に用いるデータ等を格納する手段である。ＲＡＭ８７３には、例えば、ＣＰＵ８７１に読み込まれるプログラムや、そのプログラムを実行する際に適宜変化する各種パラメータ等が一時的又は永続的に格納される。
【０１０１】
（ホストバス８７４、ブリッジ８７５、外部バス８７６、インターフェース８７７）
ＣＰＵ８７１、ＲＯＭ８７２、ＲＡＭ８７３は、例えば、高速なデータ伝送が可能なホストバス８７４を介して相互に接続される。一方、ホストバス８７４は、例えば、ブリッジ８７５を介して比較的データ伝送速度が低速な外部バス８７６に接続される。また、外部バス８７６は、インターフェース８７７を介して種々の構成要素と接続される。
【０１０２】
（入力部８７８）
入力部８７８には、例えば、マウス、キーボード、タッチパネル、ボタン、スイッチ、マイク、及びレバー等が用いられる。さらに、入力部８７８としては、赤外線やその他の電波を利用して制御信号を送信することが可能なリモートコントローラ（以下、リモコン）が用いられることもある。
【０１０３】
（出力部８７９）
出力部８７９には、例えば、ＣＲＴ（Ｃａｔｈｏｄｅ  Ｒａｙ  Ｔｕｂｅ）、ＬＣＤ、又は有機ＥＬ等のディスプレイ装置（表示装置）、スピーカー、ヘッドホン等のオーディオ出力装置、プリンタ、携帯電話、又はファクシミリ等、取得した情報を利用者に対して視覚的又は聴覚的に通知することが可能な装置である。
【０１０４】
（記憶部８８０）
記憶部８８０は、各種のデータを格納するための装置である。記憶部８８０としては、例えば、ハードディスクドライブ（ＨＤＤ）等の磁気記憶デバイス、半導体記憶デバイス、光記憶デバイス、又は光磁気記憶デバイス等が用いられる。
【０１０５】
（ドライブ８８１）
ドライブ８８１は、例えば、磁気ディスク、光ディスク、光磁気ディスク、又は半導体メモリ等のリムーバブル記録媒体９０１に記録された情報を読み出し、又はリムーバブル記録媒体９０１に情報を書き込む装置である。
【０１０６】
（リムーバブル記録媒体９０１）
リムーバブル記録媒体９０１は、例えば、ＤＶＤメディア、Ｂｌｕ−ｒａｙ（登録商標）メディア、ＨＤ  ＤＶＤメディア、各種の半導体記憶メディア等である。もちろん、リムーバブル記録媒体９０１は、例えば、非接触型ＩＣチップを搭載したＩＣカード、又は電子機器等であってもよい。
【０１０７】
（接続ポート８８２）
接続ポート８８２は、例えば、ＵＳＢ（Ｕｎｉｖｅｒｓａｌ  Ｓｅｒｉａｌ  Ｂｕｓ）ポート、ＩＥＥＥ１３９４ポート、ＳＣＳＩ（Ｓｍａｌｌ  Ｃｏｍｐｕｔｅｒ  Ｓｙｓｔｅｍ  Ｉｎｔｅｒｆａｃｅ）、ＲＳ−２３２Ｃポート、又は光オーディオ端子等のような外部接続機器９０２を接続するためのポートである。
【０１０８】
（外部接続機器９０２）
外部接続機器９０２は、例えば、プリンタ、携帯音楽プレーヤ、デジタルカメラ、デジタルビデオカメラ、又はＩＣレコーダ等である。
【０１０９】
（通信部８８３）
通信部８８３は、ネットワーク９０３に接続するための通信デバイスであり、例えば、有線又は無線ＬＡＮ、Ｂｌｕｅｔｏｏｔｈ（登録商標）、又はＷＵＳＢ（Ｗｉｒｅｌｅｓｓ  ＵＳＢ）用の通信カード、光通信用のルータ、ＡＤＳＬ（Ａｓｙｍｍｅｔｒｉｃ  Ｄｉｇｉｔａｌ  Ｓｕｂｓｃｒｉｂｅｒ  Ｌｉｎｅ）用のルータ、又は各種通信用のモデム等である。また、内線電話網や携帯電話事業者網等の電話網に接続してもよい。
【０１１０】
＜５．まとめ＞
以上説明したように、本発明の一実施形態に係る音声通話システムによれば、受信される信号の強度に応じた接続対象のＩＰネットワークの自動切替ができる。係る機能によれば、ユーザは、ソフトフォンを用いて、より快適に音声通話を行うことが可能となる。
【０１１１】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【０１１２】
１      外部ネットワーク
２      内部ネットワーク
１０    スマートフォン
２０    構内システム
１００  通信部
１０１  携帯通信部
１０２  Ｗｉ−Ｆｉ通信部
１１０  ソフトフォン
１１１  接続制御部
１１３  状態判定部
１１４  音声入出力部
２１０  ルータ
２２０  無線ＡＰ
２３０  ＶｏＩＰゲートウェイ
２４０  ＩＰ−ＰＢＸ
２５０  ＩＰ電話機
【図１】
2020036274.tif 000003
【図２】
2020036274.tif 000004
【図３】
2020036274.tif 000005
【図４】
2020036274.tif 000006
【図５】
2020036274.tif 000007
【図６】
2020036274.tif 000008
【図７】
2020036274.tif 000009
【図８】
2020036274.tif 000010
【図９】
2020036274.tif 000011